(57)【要約】【課題】ブラケット本体にブラケットカバーを強固に固定することができる電子機器を提供する。【解決手段】電子機器１１では、ブラケットカバー３３が第１位置に位置決めされると、爪３７に係り合う案内片４５の働きでブラケットカバー３３はブラケット本体３２上に保持される。ブラケットカバー３３が第２位置に位置決めされると、ブラケットカバー３３は、案内片４５の働きに加えて係り合い片４１およびフック片４２の係り合いに基づきブラケット本体３２上に保持される。第２位置ではブラケットカバー３３は強固にブラケット本体に固定されることができる。ブラケットカバー３３の離脱は大いに阻止されることができる。【選択図】図７
2008153902.tif 000002
【特許請求の範囲】
【請求項１】
第１筐体と、第１筐体の表側平坦面に平行な第１回転軸回りで回転自在に第１筐体に連結されて、少なくとも部分的に１対の平行線上で延びる外縁を規定するブラケット本体と、ブラケット本体の表面に重ね合わせられて、ブラケット本体の表面に交差する第２回転軸回りで回転自在にブラケット本体に連結される第２筐体と、ブラケット本体の裏面に覆い被さるブラケットカバーと、ブラケット本体の裏面に形成されて、ブラケット本体の裏面を含む仮想平面に沿ってブラケット本体の前記外縁から相互に反対向きに外側に延びる少なくとも１対の爪と、ブラケットカバーに形成されてブラケット本体の表面側から個々の爪に個別に接触し、ブラケット本体の前記外縁に沿って少なくとも第１位置および第２位置の間でブラケットカバーの動きを案内する１対の案内片と、ブラケット本体に形成されてブラケット本体の裏面に所定の間隔で向き合わせられ、ブラケット本体との間に進入空間を形成する係り合い片と、ブラケットカバーに形成されて、ブラケットカバーが第１位置に位置決めされると前記進入空間から離脱し、ブラケットカバーが第２位置に位置決めされると前記進入空間に進入するフック片とを備えることを特徴とする電子機器。
【請求項２】
請求項１に記載の電子機器において、前記爪には、ブラケット本体の前記外縁から外側に向かうにつれて徐々に前記仮想平面に近づく傾斜面が形成されることを特徴とする電子機器。
【請求項３】
請求項１に記載の電子機器において、前記ブラケット本体の前記外縁に形成されて、前記爪からブラケット本体の表面に向かって延びる突起と、前記案内片の縁に形成されて、前記ブラケットカバーが第２位置に位置決めされると、爪上で突起を受け入れる切り欠きとをさらに備えることを特徴とする電子機器。
【請求項４】
請求項１に記載の電子機器において、前記ブラケットカバーに形成されて、前記ブラケット本体の表面に向かって延びる爪と、前記ブラケット本体に形成されて、前記ブラケットカバーが第２位置に位置決めされると爪を受け止め、第２位置から第１位置に向かう前記ブラケットカバーの動きを規制する壁面とをさらに備えることを特徴とする電子機器。
【請求項５】
請求項１に記載の電子機器において、前記ブラケットカバーは所定の弾性変形を許容することを特徴とする電子機器。
【発明の詳細な説明】
【技術分野】
【０００１】
本発明は、例えば携帯電話端末といった電子機器に関する。
【背景技術】
【０００２】
携帯電話端末の筐体にはプリント基板やディスプレイパネルユニットが組み入れられる。筐体はベースおよびカバーを備える。カバーは例えば爪でベースに嵌め合わせられる。こうしてカバーはベースに固定される。
【特許文献１】特開２００２−２６１９０２号公報
【特許文献２】特開２０００−２２７９０号公報
【特許文献３】特開平７−７２７４号公報
【発明の開示】
【発明が解決しようとする課題】
【０００３】
これまでの携帯帯電話端末では、爪で嵌め合わせられるもののカバーは比較的に容易にベースから取り外されてしまう。携帯電話端末では例えばプリント基板やディスプレイパネルユニットにいたずらがされてしまう。
【０００４】
本発明は、上記実状に鑑みてなされたもので、ブラケット本体にブラケットカバーを強固に固定することができる電子機器を提供することを目的とする。
【課題を解決するための手段】
【０００５】
上記目的を達成するために、本発明によれば、第１筐体と、第１筐体の表側平坦面に平行な第１回転軸回りで回転自在に第１筐体に連結されて、少なくとも部分的に１対の平行線上で延びる外縁を規定するブラケット本体と、ブラケット本体の表面に重ね合わせられて、ブラケット本体の表面に交差する第２回転軸回りで回転自在にブラケット本体に連結される第２筐体と、ブラケット本体の裏面に覆い被さるブラケットカバーと、ブラケット本体の裏面に形成されて、ブラケット本体の裏面を含む仮想平面に沿ってブラケット本体の前記外縁から相互に反対向きに外側に延びる少なくとも１対の爪と、ブラケットカバーに形成されてブラケット本体の表面側から個々の爪に個別に接触し、ブラケット本体の前記外縁に沿って少なくとも第１位置および第２位置の間でブラケットカバーの動きを案内する１対の案内片と、ブラケット本体に形成されてブラケット本体の裏面に所定の間隔で向き合わせられ、ブラケット本体との間に進入空間を形成する係り合い片と、ブラケットカバーに形成されて、ブラケットカバーが第１位置に位置決めされると前記進入空間から離脱し、ブラケットカバーが第２位置に位置決めされると前記進入空間に進入するフック片とを備えることを特徴とする電子機器が提供される。
【０００６】
こうした電子機器では、ブラケットカバーが第１位置に位置決めされると、爪に係り合う案内片の働きでブラケットカバーはブラケット本体上に保持される。ブラケットカバーが第２位置に位置決めされると、ブラケットカバーは、案内片の働きに加えて係り合い片およびフック片の係り合いに基づきブラケット本体上に保持される。第２位置ではブラケットカバーは強固にブラケット本体に固定されることができる。ブラケットカバーの離脱は大いに阻止されることができる。こうした電子機器ではブラケットカバーは所定の弾性変形を許容すればよい。
【０００７】
こういった電子機器では、爪には、ブラケット本体の外縁から外側に向かうにつれて徐々に仮想平面に近づく傾斜面が形成されればよい。ブラケットカバーがブラケット本体に取り付けられる際、ブラケットカバーはブラケット本体に押し付けられる。押し付け力に基づき案内片は爪上の傾斜面を摺動する。こうして容易に案内片は爪に係り合うことができる。
【０００８】
電子機器は、ブラケット本体の外縁に形成されて、爪からブラケット本体の表面に向かって延びる突起と、案内片の縁に形成されて、ブラケットカバーが第２位置に位置決めされると、爪上で突起を受け入れる切り欠きとをさらに備えればよい。こうして切り欠きが突起を受け入れると、ブラケットカバーは第２位置に強固に保持されることができる。
【０００９】
電子機器は、ブラケットカバーに形成されて、ブラケット本体の表面に向かって延びる爪と、ブラケット本体に形成されて、ブラケットカバーが第２位置に位置決めされると爪を受け止め、第２位置から第１位置に向かうブラケットカバーの動きを規制する壁面とをさらに備えてもよい。こうして壁面に爪が受け止められれば、ブラケットカバーは第２位置に強固に保持されることができる。
【発明の効果】
【００１０】
以上のように本発明によれば、ブラケット本体にブラケットカバーを強固に固定することができる電子機器が提供される。
【発明を実施するための最良の形態】
【００１１】
以下、添付図面を参照しつつ本発明の一実施形態を説明する。
【００１２】
図１は本発明に係る電子機器の一具体例すなわち折り畳み式携帯電話端末１１を概略的に示す。この携帯電話端末１１は送話器１２と受話器１３とを備える。送話器１２は第１筐体すなわち本体筐体１４を備える。本体筐体１４内にはプリント基板（図示されず）が組み込まれる。周知の通り、プリント基板には例えばＣＰＵ（中央処理演算装置）やメモリといった処理回路が実装される。送話器１２の表側平坦面にはオンフックボタン１５ａやオフフックボタン１５ｂ、ダイヤルキー１５ｃといった入力ボタンが埋め込まれる。入力ボタンの操作に応じてＣＰＵは様々な処理を実行する。本体筐体１４は例えばＡＢＳといった強化樹脂材料から成型されればよい。
【００１３】
受話器１３は第２筐体すなわちディスプレイ用筐体１６を備える。ディスプレイ用筐体１６には液晶ディスプレイ（ＬＣＤ）パネルユニット１７といった平面ディスプレイパネルユニットが組み込まれる。ディスプレイ用筐体１６の表側平坦面にはディスプレイ用開口１８が区画される。ＬＣＤパネルユニット１７の画面はディスプレイ用開口１８に臨む。ＬＣＤパネルユニット１７の画面にはＣＰＵの処理動作に応じて様々なテキストやグラフィックが表示される。ディスプレイ用筐体１６は例えばＡＢＳといった強化樹脂材料から成型されればよい。
【００１４】
本体筐体１４の表側平坦面には送話口１９が区画される。送話口１９内にはマイクが組み込まれる。ディスプレイ用筐体１６の表側平坦面には受話口２１が区画される。受話口２１内にはスピーカが組み込まれる。通話にあたって携帯電話端末１１の使用者はマイクから音声を入力する。スピーカは通話相手の音声を再生する。
【００１５】
本体筐体１４にはヒンジブラケット２２が連結される。連結にあたってヒンジ２３が利用される。ヒンジ２３は本体筐体１４およびヒンジブラケット２２の間で第１回転軸ＨＸ回りの回転を実現する。第１回転軸ＨＸは本体筐体１４の表側平坦面に平行に延びる。
【００１６】
ヒンジブラケット２２の表面にはディスプレイ用筐体１６の裏面が重ね合わせられる。ディスプレイ用筐体１６は第２回転軸ＲＸ回りで回転自在にヒンジブラケット２２に連結される。第２回転軸ＲＸは、第１回転軸ＨＸに直交する仮想平面内で延びる。同時に、第２回転軸ＲＸはヒンジブラケット２２の表面に交差する。ここでは、交差角は９０度に設定される。こうしてディスプレイ用筐体１６は第１回転軸ＨＸ回りで本体筐体１４に対して回転することができる。
【００１７】
いま、携帯電話端末１１が開き状態を確立すると、送話器１２および受話器１３はともに正面を向く。縦置きの送話器１２に対して縦置きの画面が確立される。携帯電話端末１１の使用者はＬＣＤパネルユニット１７の画面を見ながらダイヤルキー１５ｃといった入力ボタンを確認することができる。ディスプレイ用筐体１６は第１回転軸ＨＸ回りで回転する。回転に応じてディスプレイ用筐体１６は本体筐体１４の表側平坦面に重ね合わせられることができる。携帯電話端末１１は閉じられる。折り畳み状態すなわち閉じ状態が確立される。
【００１８】
例えば携帯電話端末１１の開き状態ではディスプレイ用筐体１６は第２回転軸ＲＸ回りで回転することができる。縦置きの画面を確立する直立姿勢から時計回りすなわち第１方向に９０度の回転角でディスプレイ用筐体１６が回転すると、図２に示されるように、第１回転姿勢が確立される。ＬＣＤパネルユニット１７の画面は横置きに設定される。反対に、ディスプレイ用筐体１６が第２回転軸ＲＸ回りで直立姿勢から反時計回りすなわち第２方向に９０度の回転角で回転すると、図３に示されるように、第２回転姿勢が確立される。ＬＣＤパネルユニット１７の画面は横置きに設定される。
【００１９】
図４に示されるように、ディスプレイ用筐体１６の裏面には回転機構２５が組み込まれる。この回転機構２５は前述の第２回転軸ＲＸに同心に延びる中空軸２６を備える。中空軸２６は不動にディスプレイ用筐体１６に固定される。中空軸２６には中空軸２６回りで相対回転自在に環状部材２７が装着される。環状部材２７は中空軸２６に対してその軸方向に相対変位不能に連結される。すなわち、環状部材２７の離脱は防止される。この環状部材２７にヒンジブラケット２２が固定される。ヒンジブラケット２２および環状部材２７の間で中空軸２６回りに相対回転は規制される。こうして中空軸２６および環状部材２７の相対回転に基づきディスプレイ用筐体１６およびヒンジブラケット２２の相対回転は実現される。
【００２０】
環状部材２７の外縁には中心角９０度の間隔で３つの窪み２８が形成される。窪み２８は中空軸２６の軸心すなわち第２回転軸ＲＸに向かって窪む。窪み２８の輪郭は例えば弓形に設定される。その一方で、環状部材２７の外縁には弓形の突片２９が向き合わせられる。例えば３本の伸張ばね３１の働きで突片２９は中空軸２６の軸心すなわち第２回転軸ＲＸに向かって押し付けられる。突片２９は窪み２８に受け入れられる。こうして突片２９および窪み２８の働きでディスプレイ用筐体１６およびヒンジブラケット２２の相対回転は所望の位置で規制される。いわゆるクリック感が実現される。
【００２１】
図５に示されるように、ヒンジブラケット２２はブラケット本体３２を備える。ブラケット本体３２はディスプレイ用筐体１６の裏面に重ね合わせられる。ブラケット本体の表面は前述の回転機構２５に連結される。ブラケット本体３２の裏面にはブラケットカバー３３が覆い被さる。ブラケットカバー３３は所定の弾性変形を許容する。
【００２２】
図６に示されるように、ブラケット本体３２には例えば直方体の内部空間を区画する貫通孔３４が形成される。貫通孔３４はブラケット本体３２の前後方向に延びる。貫通孔３４の後端にはディスプレイ用筐体１６の裏面から直立する壁面３５が区画される。壁面３５の後方には台座３６が区画される。なお、ブラケット本体３２には貫通孔３４に代えて窪みが形成されてもよい。
【００２３】
ブラケット本体３２の裏面には例えば２対の爪３７が形成される。爪３７は、ブラケット本体３２の裏面を含む仮想平面に沿ってブラケット本体３２の外縁３８から相互に反対向きに延びる。外縁３８は少なくとも部分的に１対の平行線上で延びる。ブラケット本体３２の外縁には突起３９が形成される。突起３９は各爪３７からブラケット本体３２の表面に向かって延びる。突起３９は例えば半円柱状に形成される。爪３７および突起３９はブラケット本体３２に一体化されればよい。
【００２４】
ディスプレイ用筐体１６の裏面から立ち上がるブラケット本体３２の壁面３２ａには１対の係り合い片４１が形成される。係り合い片４１は、ブラケット本体３２の裏面に平行にヒンジ２３に向かって後方に突き出る。係り合い片４１はブラケット本体３２の裏面に所定の間隔で向き合わせられる。係り合い片４１はブラケット本体３２に一体化されればよい。
【００２５】
その一方で、ブラケットカバー３３の裏面には１対のフック片４２が形成される。フック片４２はブラケットカバー３３の前端に向かって前方に突き出る。後述されるように、フック片４２はブラケット本体３２の係り合い片４１に個別に係り合う。フック片４２はブラケットカバー３３に一体化されればよい。
【００２６】
図７はヒンジブラケット２２の裏面の構造を示す。貫通孔３４にはブラケットカバー３３の裏面から立ち上がる爪４３が受け入れられる。爪４３はブラケットカバー３３に一体化されればよい。図８を併せて参照し、爪４３は貫通孔３４内で壁面３５に受け止められる。その結果、ヒンジ２３に向かってブラケットカバー３３の動きは規制される。
【００２７】
同様に、ブラケットカバー３３のフック片４２はブラケット本体３２の係り合い片４１に係り合う。図９を併せて参照し、フック片４２は、係り合い片４１およびブラケット本体３２の間に形成される進入空間４４に進入する。こうしてブラケット本体３２の裏面に直交する垂直方向にブラケットカバー３３の離脱は規制される。
【００２８】
同様に、爪３７は、ブラケットカバー３３に形成される案内片４５に係り合う。案内片４５はブラケット本体３２の表面側から爪３７に個別に接触する。案内片４５の縁には切り欠き４６が形成される。切り欠き４６はブラケット本体３２の突起３９を受け入れる。図１０を併せて参照し、爪３７には、ブラケット本体３２の外縁から外側に向かうにつれて徐々に前述の仮想平面に近づく傾斜面４７が形成される。
【００２９】
いま、ブラケットカバー３３がブラケット本体３２に取り付けられる場面を想定する。図１１に示されるように、ブラケットカバー３３はブラケット本体３２の裏面側からブラケット本体３２に押し付けられる。図１２に示されるように、案内片４５は爪３７の傾斜面４７を摺動する。押し付け力に基づきブラケットカバー３３は弾性変形する。案内片４５は爪３７に係り合う。その結果、ブラケットカバー３３は第１位置でブラケット本体３２に保持される。フック片４２は進入空間４４の後方に配置される。
【００３０】
図１３に示されるように、案内片４５の縁は突起３９に受け止められる。図１４に示されるように、爪４３は台座３６上に受け止められる。案内片４５の案内に基づきブラケットカバー３３はブラケット本体３２の前端に向かって前方にスライド移動する。案内片４５の切り欠き４６は突起３９を受け入れる。爪４３は貫通孔３４に受け入れられる。爪４３の後端は壁面３５に受け止められる。同時に、フック片４２は係り合い片４１およびブラケット本体３２の間で進入空間４４に進入する。こうしてブラケットカバー２５は第２位置に位置決めされる。
【００３１】
以上のような携帯電話端末１１では、ブラケットカバー３３が第２位置に位置決めされると、ブラケットカバー３３は、案内片４５の働きに加えて係り合い片４１およびフック片４２の係り合い並びに爪４３および壁面３５の係り合いに基づきブラケット本体３２上に保持される。第２位置ではブラケットカバー３３は強固にブラケット本体３２に固定されることができる。ブラケットカバー３３の離脱は大いに阻止されることができる。
【００３２】
しかも、爪３７は傾斜面４７が形成される。ブラケットカバー３３の取り付けにあたって傾斜面４７は案内片４５を案内する。ブラケットカバー３３は徐々に弾性変形する。こうして案内片４５は爪３７に容易に係り合うことができる。
【図面の簡単な説明】
【００３３】
【図１】本発明に係る電子機器の一具体例すなわち携帯電話端末の外観を概略的に示す斜視図である。
【図２】第１回転姿勢が確立される様子を概略的に示す正面図である。
【図３】第２回転姿勢が確立される様子を概略的に示す正面図である。
【図４】ディスプレイ用筐体の構造を概略的に示す背面図である。
【図５】ディスプレイ用筐体の構造を概略的に示す斜視図である。
【図６】ブラケット本体からブラケットカバーが取り外された様子を概略的に示す分解斜視図である。
【図７】ブラケット本体の裏面から観察される様子を概略的に示す背面図である。
【図８】図７の８−８線に沿った断面図である。
【図９】図７の９−９線に沿った断面図である。
【図１０】図７の１０−１０線に沿った断面図である。
【図１１】ブラケットカバーがブラケット本体に取り付けられる様子を概略的に示す斜視図である。
【図１２】図１０に対応し、ブラケットカバーがブラケット本体に取り付けられる様子を概略的に示す断面図である。
【図１３】図７に対応し、ブラケットカバーがブラケット本体に取り付けられる様子を概略的に示す断面図である。
【図１４】図８に対応し、ブラケットカバーがブラケット本体に取り付けられる様子を概略的に示す断面図である。
【符号の説明】
【００３４】
１１  電子機器（携帯電話端末）、１４  第１筐体（本体筐体）、１６  第２筐体（ディスプレイ用筐体）、３２  ブラケット本体、３３  ブラケットカバー、３５  壁面、３７  爪、３８  外縁、３９  突起、４１  係り合い片、４２  フック片、４３  爪、４４  進入空間、４５  案内片、４６  切り欠き、４７  傾斜面、ＨＸ  第１回転軸、ＲＸ  第２回転軸。
【図１】
2008153902.tif 000003
【図２】
2008153902.tif 000004
【図３】
2008153902.tif 000005
【図４】
2008153902.tif 000006
【図５】
2008153902.tif 000007
【図６】
2008153902.tif 000008
【図７】
2008153902.tif 000009
【図８】
2008153902.tif 000010
【図９】
2008153902.tif 000011
【図１０】
2008153902.tif 000012
【図１１】
2008153902.tif 000013
【図１２】
2008153902.tif 000014
【図１３】
2008153902.tif 000015
【図１４】
2008153902.tif 000016